【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
ネットワークを介して印刷装置に出力する文書ファイルを管理する情報処理装置であって、
前記文書ファイルを記憶媒体に登録して管理する管理手段と、
ネットワークを介して前記印刷装置から、前記管理手段に管理されている文書ファイルの内、印刷対象の文書ファイルの第１印刷設定情報を受信する受信手段と、
前記第１印刷設定情報を解析する解析手段と、
前記解析手段の解析結果に基づいて、１枚の記録紙に出力するデータ単位に前記文書ファイルを分割した分割文書ファイルを生成する分割手段と、
前記第１印刷設定情報を、分割前の前記文書ファイルによる印刷結果と前記分割文書ファイルによる印刷結果とが同一となるように書き換えた第２印刷設定情報を生成する書換手段と、
前記分割手段で生成した分割文書ファイルを暗号化して暗号化分割文書ファイルを生成する暗号化手段と、
前記ネットワークを介して前記印刷装置へ、前記暗号化手段で生成した暗号化分割文書ファイルと前記書換手段で生成した第２印刷設定情報を送信する送信手段と
を備えることを特徴とする情報処理装置。
【請求項２】
前記管理手段は、登録対象の文書ファイルにパスワードが設定されている場合には、そのパスワードに基づいて前記文書ファイルを暗号化した上で、該文書ファイルを前記記憶媒体に登録して管理する
ことを特徴とする請求項１に記載の情報処理装置。
【請求項３】
前記印刷対象の文書ファイルが暗号化されている場合、前記文書ファイルを復号するためのパスワードを前記印刷装置から取得する取得手段と、
前記取得手段で取得したパスワードを用いて、前記文書ファイルを復号する復号手段を更に備え、
前記暗号化手段は、前記取得手段で取得したパスワードと同一のパスワードを用いて、前記分割手段で生成した分割文書ファイルを暗号化して暗号化分割文書ファイルを生成する
ことを特徴とする請求項１に記載の情報処理装置。
【請求項４】
文書ファイルを管理する情報処理装置から、印刷対象の文書ファイルを取得して印刷する印刷装置であって、
ネットワークを介して前記情報処理装置へ、印刷対象の文書ファイルの第１印刷設定情報を送信する送信手段と、
前記ネットワークを介して前記情報処理装置から、前記情報処理装置が、前記第１印刷設定情報に基づいて、１枚の記録紙に出力するデータ単位に前記文書ファイルを分割し、更に暗号化して生成した暗号化分割文書ファイルと、該第１印刷設定情報を、分割前の前記文書ファイルによる印刷結果と前記分割文書ファイルによる印刷結果とが同一となるように書き換えて生成した第２印刷設定情報を受信する受信手段と、
前記受信手段で受信した暗号化分割文書ファイルを復号して分割文書ファイルを生成する復号手段と、
前記復号手段で生成した分割文書ファイルを、前記第２印刷設定情報に基づいて印刷する印刷手段と
を備えることを特徴とする印刷装置。
【請求項５】
前記受信手段で受信した暗号化分割文書ファイルを不揮発性メモリに記憶する記憶手段と、
前記記憶手段に記憶されている複数の暗号化分割文書ファイルから、処理対象の暗号化分割文書ファイルを取得し、揮発性メモリにおいて復号して分割文書ファイルを生成する復号手段とを更に備え、
前記印刷手段は、前記復号手段で生成した分割文書ファイルを、前記第２印刷設定情報に基づいて印刷する
ことを特徴とする請求項４に記載の印刷装置。
【請求項６】
前記印刷手段による印刷が完了した分割文書ファイルに対応する分割文書ファイル及び暗号化分割文書ファイルをそれぞれ、前記揮発性メモリ及び前記不揮発性メモリから削除する削除手段を更に備える
ことを特徴とする請求項５に記載の印刷装置。
【請求項７】
文書ファイルを管理する情報処理装置と、印刷対象の文書ファイルを取得して印刷する印刷装置とを有する情報処理システムであって、
前記情報処理装置は、
前記文書ファイルを記憶媒体に登録して管理する管理手段と、
ネットワークを介して前記印刷装置から、前記管理手段に管理されている文書ファイルの内、印刷対象の文書ファイルの第１印刷設定情報を受信する第１受信手段と、
前記第１印刷設定情報を解析する解析手段と、
前記解析手段の解析結果に基づいて、１枚の記録紙に出力するデータ単位に前記文書ファイルを分割した分割文書ファイルを生成する分割手段と、
前記第１印刷設定情報を、分割前の前記文書ファイルによる印刷結果と前記分割文書ファイルによる印刷結果とが同一となるように書き換えた第２印刷設定情報を生成する書換手段と、
前記分割手段で生成した分割文書ファイルを暗号化して暗号化分割文書ファイルを生成する暗号化手段と、
前記暗号化手段で生成した暗号化分割文書ファイルと前記書換手段で生成した第２印刷設定情報を前記印刷装置へ送信する第１送信手段とを備え、
前記印刷装置は、
前記ネットワークを介して前記情報処理装置へ、前記第１印刷設定情報を送信する第２送信手段と、
前記情報処理装置から、前記暗号化分割文書ファイルとそれに対応する前記第２印刷設定情報を受信する第２受信手段と、
前記受信手段で受信した暗号化分割文書ファイルを復号して分割文書ファイルを生成する復号手段と、
前記復号手段で生成した分割文書ファイルを、前記第２印刷設定情報に基づいて印刷する印刷手段と
を備えることを特徴とする情報処理システム。
【請求項８】
ネットワークを介して印刷装置に出力する文書ファイルを管理する情報処理装置の制御方法であって、
前記文書ファイルを記憶媒体に登録して管理する管理工程と、
ネットワークを介して前記印刷装置から、前記記憶媒体に管理されている文書ファイルの内、印刷対象の文書ファイルの第１印刷設定情報を受信する受信工程と、
前記第１印刷設定情報を解析する解析工程と、
前記解析工程の解析結果に基づいて、１枚の記録紙に出力するデータ単位に前記文書ファイルを分割した分割文書ファイルを生成する分割工程と、
前記第１印刷設定情報を、分割前の前記文書ファイルによる印刷結果と前記分割文書ファイルによる印刷結果とが同一となるように書き換えた第２印刷設定情報を生成する書換工程と、
前記分割工程で生成した分割文書ファイルを暗号化して暗号化分割文書ファイルを生成する暗号化工程と、
前記ネットワークを介して前記印刷装置へ、前記暗号化工程で生成した暗号化分割文書ファイルと前記書換工程で生成した第２印刷設定情報を送信する送信工程と
を備えることを特徴とする情報処理装置の制御方法。
【請求項９】
文書ファイルを管理する情報処理装置から、印刷対象の文書ファイルを取得して印刷する印刷装置の制御方法であって、
ネットワークを介して前記情報処理装置へ、印刷対象の文書ファイルの第１印刷設定情報を送信する送信工程と、
前記ネットワークを介して前記情報処理装置から、前記情報処理装置が、前記第１印刷設定情報に基づいて、１枚の記録紙に出力するデータ単位に前記文書ファイルを分割し、更に暗号化して生成した暗号化分割文書ファイルと、該第１印刷設定情報を、分割前の前記文書ファイルによる印刷結果と前記分割文書ファイルによる印刷結果とが同一となるように書き換えて生成した第２印刷設定情報を受信する受信工程と、
前記受信工程で受信した暗号化分割文書ファイルを復号して分割文書ファイルを生成する復号工程と、
前記復号工程で生成した分割文書ファイルを、前記第２印刷設定情報に基づいて印刷する印刷工程と
を備えることを特徴とする印刷装置の制御方法。
【請求項１０】
ネットワークを介して印刷装置に出力する文書ファイルを管理する情報処理装置の制御をコンピュータに実行させるためのプログラムであって、
前記文書ファイルを記憶媒体に登録して管理する管理工程と、
ネットワークを介して前記印刷装置から、前記記憶媒体に管理されている文書ファイルの内、印刷対象の文書ファイルの第１印刷設定情報を受信する受信工程と、
前記第１印刷設定情報を解析する解析工程と、
前記解析工程の解析結果に基づいて、１枚の記録紙に出力するデータ単位に前記文書ファイルを分割した分割文書ファイルを生成する分割工程と、
前記第１印刷設定情報を、分割前の前記文書ファイルによる印刷結果と前記分割文書ファイルによる印刷結果とが同一となるように書き換えた第２印刷設定情報を生成する書換工程と、
前記分割工程で生成した分割文書ファイルを暗号化して暗号化分割文書ファイルを生成する暗号化工程と、
前記ネットワークを介して前記印刷装置へ、前記暗号化工程で生成した暗号化分割文書ファイルと前記書換工程で生成した第２印刷設定情報を送信する送信工程と
をコンピュータに実行させることを特徴とするプログラム。
【請求項１１】
文書ファイルを管理する情報処理装置から、印刷対象の文書ファイルを取得して印刷する印刷装置の制御をコンピュータに実行させるためのプログラムであって、
ネットワークを介して前記情報処理装置へ、印刷対象の文書ファイルの第１印刷設定情報を送信する送信工程と、
前記ネットワークを介して前記情報処理装置から、前記情報処理装置が、前記第１印刷設定情報に基づいて、１枚の記録紙に出力するデータ単位に前記文書ファイルを分割し、更に暗号化して生成した暗号化分割文書ファイルと、該第１印刷設定情報を、分割前の前記文書ファイルによる印刷結果と前記分割文書ファイルによる印刷結果とが同一となるように書き換えて生成した第２印刷設定情報を受信する受信工程と、
前記受信工程で受信した暗号化分割文書ファイルを復号して分割文書ファイルを生成する復号工程と、
前記復号工程で生成した分割文書ファイルを、前記第２印刷設定情報に基づいて印刷する印刷工程と
をコンピュータに実行させることを特徴とするプログラム。
【請求項１２】
文書ファイルを管理する情報処理装置と、印刷対象の文書ファイルを取得して印刷する印刷装置とを有する情報処理システムであって、
前記情報処理装置は、
前記文書ファイルを、１枚の記録紙に出力するデータ単位または前記文書ファイルのページ単位に分割した分割文書ファイルを生成する分割手段と、
前記分割手段で生成した分割文書ファイルを暗号化して暗号化分割文書ファイルを生成する暗号化手段と、
前記暗号化手段で生成した暗号化分割文書ファイルを前記印刷装置へ送信する送信手段とを備え、
前記印刷装置は、
前記情報処理装置から、前記暗号化分割文書ファイルを受信する受信手段と、
前記受信手段で受信した暗号化分割文書ファイルを、揮発性メモリにおいて復号して分割文書ファイルを生成する復号手段と、
前記復号手段で生成した分割文書ファイルを印刷する印刷手段と
を備えることを特徴とする情報処理システム。
【請求項１３】
ネットワークを介して印刷装置に出力する文書ファイルを管理する情報処理装置であって、
前記文書ファイルを、１枚の記録紙に出力するデータ単位または前記文書ファイルのページ単位に分割した分割文書ファイルを生成する分割手段と、
前記分割手段で生成した分割文書ファイルを暗号化して暗号化分割文書ファイルを生成する暗号化手段と、
前記暗号化手段で生成した暗号化分割文書ファイルを前記印刷装置へ送信する送信手段と
を備えることを特徴とする情報処理装置。
【請求項１４】
文書ファイルを管理する情報処理装置から、印刷対象の文書ファイルを取得して印刷する印刷装置であって、
前記情報処理装置が前記文書ファイルを１枚の記録紙に出力するデータ単位または前記文書ファイルのページ単位に分割し暗号化した暗号化分割文書ファイルを該情報処理装置から受信する受信手段と、
前記受信手段で受信した暗号化分割文書ファイルを、揮発性メモリにおいて復号して分割文書ファイルを生成する復号手段と、
前記復号手段で生成した分割文書ファイルを印刷する印刷手段と
を備えることを特徴とする印刷装置。
【請求項１５】
ネットワークを介して印刷装置に出力する文書ファイルを管理する情報処理装置の制御方法であって、
前記文書ファイルを、１枚の記録紙に出力するデータ単位または前記文書ファイルのページ単位に分割した分割文書ファイルを生成する分割工程と、
前記分割工程で生成した分割文書ファイルを暗号化して暗号化分割文書ファイルを生成する暗号化工程と、
前記暗号化工程で生成した暗号化分割文書ファイルを前記印刷装置へ送信する送信工程と
を備えることを特徴とする情報処理装置の制御方法。
【請求項１６】
文書ファイルを管理する情報処理装置から、印刷対象の文書ファイルを取得して印刷する印刷装置の制御方法であって、
前記情報処理装置が前記文書ファイルを１枚の記録紙に出力するデータ単位または前記文書ファイルのページ単位に分割し暗号化した暗号化分割文書ファイルを該情報処理装置から受信する受信工程と、
前記受信工程で受信した暗号化分割文書ファイルを、揮発性メモリにおいて復号して分割文書ファイルを生成する復号工程と、
前記復号工程で生成した分割文書ファイルを印刷する印刷工程と
を備えることを特徴とする印刷装置の制御方法。
【請求項１７】
ネットワークを介して印刷装置に出力する文書ファイルを管理する情報処理装置の制御をコンピュータに実行させるためのプログラムであって、
前記文書ファイルを、１枚の記録紙に出力するデータ単位または前記文書ファイルのページ単位に分割した分割文書ファイルを生成する分割工程と、
前記分割工程で生成した分割文書ファイルを暗号化して暗号化分割文書ファイルを生成する暗号化工程と、
前記暗号化工程で生成した暗号化分割文書ファイルを前記印刷装置へ送信する送信工程と
をコンピュータに実行させることを特徴とするプログラム。
【請求項１８】
文書ファイルを管理する情報処理装置から、印刷対象の文書ファイルを取得して印刷する印刷装置の制御をコンピュータに実行させるためのプログラムであって、
前記情報処理装置が前記文書ファイルを１枚の記録紙に出力するデータ単位または前記文書ファイルのページ単位に分割し暗号化した暗号化分割文書ファイルを該情報処理装置から受信する受信工程と、
前記受信工程で受信した暗号化分割文書ファイルを、揮発性メモリにおいて復号して分割文書ファイルを生成する復号工程と、
前記復号工程で生成した分割文書ファイルを印刷する印刷工程と
をコンピュータに実行させるためのプログラム。